(57)【要約】      （修正有）【課題】衣服の発光装置の提供。【解決手段】電源供給器３０は上述の発光ユニット２０の導線２１に接続されており、当該電源供給器３０は直流電流を供給するが、当該電源供給器３０の形式には制限がなく、本考案は直流電池をもって説明の実施例とする。当該電源供給器３０は導線２１を経て直流電流を各発光ユニット２０に提供し、各発光ユニット２０を発光させて点、線または図案を表示させる。当該電源供給器３０は取付け金具３１を具備する。【選択図】図１
0003118085.tif 000002
【実用新案登録請求の範囲】
【請求項１】
装着器具を具備して装着器具により衣服上に装着される基材、
基材状に配置されて各発光ユニットが接続されている若干の発光ユニット、
発光ユニットと接続されて各発光ユニットに必要とされる直流電流を提供し、発光ユニット点灯を行う電源供給器を含む衣服の発光装置直流電流を提供し、発光ユニット点灯を行う電源供給器、
を包含したことを特徴とする、衣服の発光装置。
【請求項２】
請求項１記載の衣服の発光装置において、安全ピンを当該基材の装着器具とすることを特徴とする、衣服の発光装置。
【請求項３】
請求項１記載の衣服の発光装置において、スナップボタンを当該基材の装着器具とすることを特徴とする、衣服の発光装置。
【請求項４】
請求項１記載の衣服の発光装置において、球状発光ダイオードを当該発光ユニットとすることを特徴とする、衣服の発光装置。
【請求項５】
請求項１記載の衣服の発光装置において、一対の導線で当該発光ユニット同士が接続されたことを特徴とする、衣服の発光装置。
【請求項６】
請求項１記載の衣服の発光装置において、直流電池を当該電源供給器とすることを特徴とする、衣服の発光装置。
【請求項７】
請求項１記載の衣服の発光装置において、当該電源供給器が取付け金具を有し、それによって電源供給器を衣服に装着できるようなことを特徴とする、衣服の発光装置。
【請求項８】
請求項７記載の衣服の発光装置において、弾性フックを当該取付け金具とすることを特徴とする、衣服の発光装置。
【請求項９】
請求項１記載の衣服の発光装置において、当該電源供給器が光電センサーと接続されたことを特徴とする、衣服の発光装置。
【請求項１０】
請求項１記載の衣服の発光装置において、当該電源供給器が姿勢センサーと接続されたことを特徴とする、衣服の発光装置。
【考案の詳細な説明】
【技術分野】
【０００１】
本考案は衣服の発光装置、特に衣服上に応用でき、衣服に取付け可能で球状の発光ユニットが発光機能を提供する発光装置に関するものである。
【背景技術】
【０００２】
発光ユニットは広告看板、メーターおよび機器上に広汎に応用され照明および指示の働きをしている。たとえば発光ダイオードまたはEL発光シートといった発光ユニットにより提供される照明は活動地点を限定され定型化された発光指示効果しか持たないのは否定できず、活動する人体上の発光装飾として使用することは不可能で、これが発光ユニットの応用範囲および発光機能の限界であった。
【０００３】
衣服上における発光ユニット取付け方式の先例として特許文献１に記載のものがあり、これは粘着式の発光ダイオードをブラジャー肩ひもに縫合し、発光ダイオードをブラジャー肩ひもに縫合固定する仕組みであり、ブラジャー肩ひもとブラジャー表面に発光効果を発生させるものだが、この方式による衣服発光の仕組みは複雑で、量産および衣服への装着が容易ではなく、しかも電源ラインの配置に難があり、発光効果もブラジャー肩ひもおよびごく限られた部分に制限されており、顕著な効果を得るには至っていない。
【０００４】
このほか特許文献２に記載のものは、EL発光プレート全体をブラジャー表面に縫合したものだが、EL発光プレート回路の体積および電源系統が大きすぎ、ブラジャーのパッドの中に収納する必要があり、これが衣服上における発光ユニット応用と産業利用の困難さを増幅していた。
【０００５】
上述した各種の従来型に属するビキニ発光の仕組みは、すべて肌着としてのブラジャーにおける使用に限定されており、他の衣類、たとえばシャツおよびジーパン等への応用は不可能であり、真の意味で発光ユニットを衣服に装着して応用効果を発揮させることはできなかった。
【０００６】
【特許文献１】台湾実用新案公告Ｍ  ２６９７３３号
【特許文献２】台湾実用新案公告Ｍ  ２５６０８０号
【考案の開示】
【考案が解決しようとする課題】
【０００７】
本考案の目的は、少なくともひとつの基材、若干の発光ユニットを含み、当該基材は装着器具を有し、当該装着器具をもって衣服に取付け可能であり、さらに基材上には各発光ユニットが取付けられ、当該発光ユニットが簡単に各種の衣服に装着できるような衣服の発光装置を提供することである。
【０００８】
本考案のもう一つの目的は、発光ユニットが基材上に装着され、配列されて点、線または図案を形成しており、当該発行ユニットが衣服上において広域面積と高輝度の発光効果を発揮するような衣服の発光装置を提供することである。
【０００９】
本考案におけるいまひとつの別の目的は、当該発光ユニットは電源供給器に接続されており、また当該電源供給器が直流電流を提供して各発光ユニットを発光させ、且つ電源供給器は取付け金具を具備して衣服への取付けが可能であり、電源ライン配置に便利さが加わった衣服の発光装置を提供することである。
【課題を解決するための手段】
【００１０】
請求項１の考案は、装着器具を具備して装着器具により衣服上に装着される基材、
基材状に配置されて各発光ユニットが接続されている若干の発光ユニット、
発光ユニットと接続されて各発光ユニットに必要とされる直流電流を提供し、発光ユニット点灯を行う電源供給器を含む衣服の発光装置直流電流を提供し、発光ユニット点灯を行う電源供給器、
を包含したことを特徴とする、衣服の発光装置としている。
請求項２の考案は、請求項１記載の衣服の発光装置において、安全ピンを当該基材の装着器具とすることを特徴とする、衣服の発光装置としている。
請求項３の考案は、請求項１記載の衣服の発光装置において、スナップボタンを当該基材の装着器具とすることを特徴とする、衣服の発光装置としている。
請求項４の考案は、請求項１記載の衣服の発光装置において、球状発光ダイオードを当該発光ユニットとすることを特徴とする、衣服の発光装置としている。
請求項５の考案は、請求項１記載の衣服の発光装置において、一対の導線で当該発光ユニット同士が接続されたことを特徴とする、衣服の発光装置としている。
請求項６の考案は、請求項１記載の衣服の発光装置において、直流電池を当該電源供給器とすることを特徴とする、衣服の発光装置としている。
請求項７の考案は、請求項１記載の衣服の発光装置において、当該電源供給器が取付け金具を有し、それによって電源供給器を衣服に装着できるようなことを特徴とする、衣服の発光装置としている。
請求項８の考案は、請求項７記載の衣服の発光装置において、弾性フックを当該取付け金具とすることを特徴とする、衣服の発光装置としている。
請求項９の考案は、請求項１記載の衣服の発光装置において、当該電源供給器が光電センサーと接続されたことを特徴とする、衣服の発光装置としている。
請求項１０の考案は、請求項１記載の衣服の発光装置において、当該電源供給器が姿勢センサーと接続されたことを特徴とする、衣服の発光装置としている。
【考案の効果】
【００１１】
本考案は少なくともひとつの基材、若干の発光ユニットおよび電源供給器を含み、基材は装着器具を有し、当該装着器具をもって衣服に取付け可能であり、さらに基材上には各発光ユニットが取付けられ、配列されて点、線または図案を形成しており、且つ各発光ユニットは相互に接続され、更に電源供給器に接続されており、また当該電源供給器は取付け金具で衣服上に取付けられ、電源供給器は直流電流を提供して各発光ユニットを発光させ、これによって当該発光ユニットは衣服のあらゆる箇所に装着可能となり、点、線または図案が広域にわたり高輝度で発光する効果を生み出すことで、衣服への装着が簡単で発光機能を備えた発光装置を構成する、という本考案の目的を達成する。
【考案を実施するための最良の形態】
【００１２】
まず図１、図２および図３に示すのは、本考案の発光装置１００の第一実施例である。そのうち、当該発光装置１００には基材１０、若干の発光ユニット２０および電源供給器３０が含まれ、当該基材１０の形態に制限はなく、ファブリックまたは軟質透明プラスチック板でも差し支えない。当該基材１０には装着器具１１が設けられており、装着器具１１も携帯に制限はなく、第一実施例においては安全ピンとして説明を進めるが、これにより図３においては装着器具１１はビキニ水着２００の表面上に装着固定されており、その他の同等の効果を有する装着方式もまた本考案の主張範囲に属するものとする。
【００１３】
上述における各発光ユニット２０が当該基材１０の表面上に装着されており、しかも各発光ユニット２０が分布して点、線、図案を形成しており、各発光ユニットの間は一対の導線２１で接続されている（図２参照）。当該発光ユニット２０に制限はないが、本考案においては球状の発光ダイオードを例に説明を進めるが、その他の同等の効果を持つ発光ユニットも本考案の範囲を出ないものとする。
【００１４】
上述の電源供給器３０は上述の発光ユニット２０の導線２１に接続されており、当該電源供給器３０は直流電流を供給するが、当該電源供給器３０の形式には制限がなく、本考案は直流電池をもって説明の実施例とする。当該電源供給器３０は導線２１を経て直流電流を各発光ユニット２０に提供し、各発光ユニット２０を発光させて点、線または図案を表示させる。当該電源供給器３０は取付け金具３１を具備しており、当該取付け金具の形態に制限はないが、本考案においては弾性フックを説明の実施例としており、図３に示すビキニ水着２００において当該取付け金具３１は背中ひも２１０に取り付けられている。
【００１５】
図４に示すのは本考案の発光装置１００の第二実施例である。そのうち、当該基材１０の装着器具１１’はスナップボタン（オス）であり、嵌合部１２がビキニ水着２００上に取り付けられており、これにより当該装着器具１１’を嵌合部１２に嵌め込んで基材１０をビキニ水着２００上に装着することになり、本考案の発光装置１００の衣服への装着がさらに簡単になっている。しかも当該電源供給器３０の導線２１の一端にはコネクタ２２が設けられ、当該電源供給器３０にも外部コネクタ３２があることから、当該コネクタ２２と外部コネクタ３２を接続することにより電源供給器３０と導線２１が接続される。
【００１６】
図５と図６に示すのは、本考案における第三の実施例である。そのうち、電源供給器３０は各発光ユニット２０の点灯または点滅を制御することが可能であり、しかも光電センサー４０が電源供給器３０と基材１０の間、すなわちビキニ水着２００の背中ひも２１０上において接続されており、当該光電センサー４０は電源供給器３０と接続されて、外部の光線の強弱を感知して当該発光ユニット２０の輝度の強弱と点滅の頻度を制御する。
【００１７】
図７に示すのは、本考案における第四の実施例である。そのうち、各発光ユニット２０は基材１０の表面上において星型の図案を形成しており、一対の姿勢センサー５０および６０がそれぞれ両基材１０と電源供給器３０の間、すなわち当該ビキニ水着２００の左右背中ひも２１０および２２０上に接続されている。当該姿勢センサー５０および６０は電源供給器３０と接続され、しかも当該姿勢センサー５０および６０は人体の姿勢状態（たとえば前後、上下、左右といった姿勢の変化の方向）を感知して電源供給器３０に知らせるものであり、電源供給器３０は当該姿勢センサー５０および６０により人体の姿勢の変化の方向に反応して基材１０上における発光ユニット２０の点灯状態または点滅状態を制御する。上述の姿勢センサー５０および６０の形式は、水銀開閉式等があり、特に制限はない。
【００１８】
図８と図９に示すのは、本考案における発光装置１００の第五、第六実施例である。そのうち、当該基材１０がティー シャツ３００およびジーパン４００の表面に装着された状態を表示しており、図８では当該電源供給器３０はティー シャツ３００の下方にフックで固定されており、図９では当該電源供給器３０はジーパン４００の腰際の位置に固定されていて、当該ティー シャツ３００およびジーパン４００はともに携帯の発光光源による発光効果を持つことになる。
【図面の簡単な説明】
【００１９】
【図１】本考案における第一実施例の立体外観構造図。
【図２】局部拡大図、図１中の各発光ユニット間の接続構造。
【図３】図１に示した第一実施例の典型的応用例図。
【図４】本考案における第二実施例図。
【図５】本考案における第三実施例。
【図６】図５中の局部Ａの拡大図。
【図７】本考案における第四実施例。
【図８】本考案における第五実施例。
【図９】本考案における第六実施例。
【符号の説明】
【００２０】
１００  発光装置              １０  基材
１１  装着器具                １１’  装着器具
１２  嵌合部                  ２０  発光ユニット
２１  導線                    ２２  コネクタ
３０  電源供給器              ３１  取付け金具
３２  外部コネクタ            ４０  光電センサー
５０  姿勢センサー            ６０  姿勢センサー
２００  ビキニ水着            ２１０  背中ひも
２２０  背中ひも              ３００  ティー シャツ
４００  ジーパン
【図１】
0003118085.tif 000003
【図２】
0003118085.tif 000004
【図３】
0003118085.tif 000005
【図４】
0003118085.tif 000006
【図５】
0003118085.tif 000007
【図６】
0003118085.tif 000008
【図７】
0003118085.tif 000009
【図８】
0003118085.tif 000010
【図９】
0003118085.tif 000011